(57)【要約】【課題】袋容器と、スパウトとを取り付ける際に、機械の保持手がスパウトと、袋容器とを強固に挟持することにより、袋容器が脱落したり、スパウトと、袋容器との取付け位置がずれることがないスパウトを提供することである。【解決手段】中空の円筒形状を有する筒部と、筒部の下方に連設されたフランジ部と、フランジ部の下方に連設された接合部と、接合部の下方に連設部を介して連設された保持部とを、合成樹脂で一体に成形するスパウトにおいて、前記保持部が、中空の半円筒部材であって、この半円筒部材の円周面に凹状の窪みを形成したことを特徴とする【選択図】図１
2007153425.tif 000002
【特許請求の範囲】
【請求項１】
中空の円筒形状を有する筒部と、筒部の下方に連設されたフランジ部と、フランジ部の下方に連設された接合部と、接合部の下方に連設部を介して連設された保持部とを、合成樹脂で一体に成形するスパウトにおいて、前記保持部が、中空の半円筒部材であって、この半円筒部材の円周面に凹状の窪みを形成したことを特徴とするスパウト。
【請求項２】
前記半円筒部材の円周面に形成された凹状の窪みは、隣り合う窪みの仮想延長面が直角に交差することを特徴とする請求項１に記載のスパウト。
【請求項３】
前記保持部の水平断面が、前記接合部の水平断面より少なくとも小さいことを特徴とする請求項１乃至２に記載のスパウト。
【発明の詳細な説明】
【技術分野】
【０００１】
本発明は、中空の円筒形状を有する筒部と、筒部の下方に連設されたフランジ部と、フランジ部の下方に連設された接合部と、接合部の下方に連設部を介して連設された保持部とを、合成樹脂で一体に成形するスパウトに関する。
【背景技術】
【０００２】
従来、自立性袋、ガゼット型袋等の種々の形態からなるプラスチック性軟包装用袋容器が開発され、例えば、ジュース類、果汁類、ゼリー状飲料、栄養ドリンク剤等の飲料品や、調味料、その他種々の飲食品を充填包装した袋容器が販売されている。
特に近年、これらの袋容器は、その開封を容易にし、かつ内容物の飲料を容易に、あるいは、内容物を注ぎやすくするために、袋容器の上部にスパウトを取り付けてなるスパウト付き袋容器が提案されている。
そして、このスパウトは、内容物の吸飲時に袋容器が閉塞することを防止するための部材（脚部材）と、注出口の口部とを連結する部材（連結部材）との間に形成された隙間（開口部）より、袋容器内へと内容物を充填する（例えば特許文献１）。
【０００３】
【特許文献１】特開平１０−１２００００号公報
【発明の開示】
【発明が解決しようとする課題】
【０００４】
しかし、スパウト付き袋容器に内容物を充填する場合、内容物を前記連結部材の隙間である開口部から袋容器内へと流し込む、あるいは、吸飲時においては、前記開口部からスパウトの筒部へと流れ込むが、従来のスパウト１１は、図１２に示すように、構造上、接合部１２から下方へ４本の連結部材１３を介して脚部材１４が形成されており、前記４本の連結部材１３の隙間である開口部Ｅ'が小さく形成されているため、一定大以上の固形物を充填することができない。
【０００５】
特に、固形物などが液体と混ざった内容物を扱う場合、吸飲時においては、固形物が開口部Ｅ'に引っ掛かり、開口部Ｅ'を塞いでしまう、また、内容物の充填時においては、固形物が開口部Ｅ'に引っ掛かり、充填できない、などの問題があった。
そこで、図１３に示すように、連結部１３を２本とすることにより開口部Ｅ'を大きく形成することが考えられるが、充填時、固形物が脚部材１４に引っ掛かり、開口部Ｅ'が詰まる、また、脚部材１４の上部１５に固形物がぶつかり、固形物が砕けてしまうなどの問題があった。
【０００６】
そこで、本発明の課題は、固形物を含む内容物を包装するスパウト付き袋容器に内容物を充填する際、または、内容物を吸飲する際に、内容物のつまりがなく、スムースに充填、吸飲可能であり、内容物の充填スピードを高めて生産効率を向上させると共に、袋容器と、スパウトとを取り付ける際に、機械の保持手がスパウトと、袋容器とを強固に挟持することにより、袋容器が脱落したり、スパウトと、袋容器との取付け位置がずれることがないスパウトを提供することである。
【課題を解決するための手段】
【０００７】
そこで、上記課題を解決すべく、本発明のスパウトは、中空の円筒形状を有する筒部と、筒部の下方に連設されたフランジ部と、フランジ部の下方に連設された接合部と、接合部の下方に連設部を介して連設された保持部とを、合成樹脂で一体に成形するスパウトにおいて、前記保持部が、中空の半円筒部材であって、この半円筒部材の円周面に凹状の窪みを形成したことを特徴とするスパウトである。
【０００８】
また、スパウトの前記半円筒部材の円周面に形成された凹状の窪みは、隣り合う窪みの仮想延長面が直角に交差することを特徴とするスパウトである。
【０００９】
また、前記保持部の水平断面が、前記接合部の水平断面より少なくとも小さいことを特徴とするスパウトである。
【発明の効果】
【００１０】
本発明のスパウトは、中空の円筒形状を有する筒部と、筒部の下方に連設されたフランジ部と、フランジ部の下方に連設された接合部と、接合部の下方に連設部を介して連設された保持部とを、合成樹脂で一体に成形するスパウトにおいて、前記保持部が、中空の半円筒部材であって、この半円筒部材の円周面に凹状の窪みを形成したことを特徴とするから、開口部を大きく形成できる。よって、固形物を含んだ内容物を充填可能であると共に充填スピードを高めることが可能である。
【００１１】
さらには、袋容器とスパウトとを取り付ける際に、スパウトの前記凹状の窪みに、機械の保持手が入り込んでスパウトを強固に挟持可能である。よって、スパウトと、袋容器とを搬送する際に、スパウトの取付け位置がずれてしまうようなことがない。よって、搬送スピードを高めることが可能である。
よって、搬送スピードと、充填スピードとを同時に高めることができ、生産性が向上する効果がある。
【００１２】
また、スパウトを強固に挟持する際、保持部が小さいと保持が難しく、保持部を極力大とすることが望まく、保持部の断面形状が、接合部の断面形状とほぼ等しいか、わずかに小さく形成することにより、最大限保持部を大きく形成することが可能であるとともに、スパウトを袋容器に挿入する際、保持部が袋容器の袋上方に引っ掛かったり、スパウト付き袋容器を完成したときに、保持部が出っ張るようなことがない。
【発明を実施するための最良の形態】
【００１３】
本発明にかかるスパウト１は、図１に示すように、図示しないキャップを螺着する円筒形状からなる筒部２と、筒部２の下方から連続して形成された３つのフランジ（３ａ、３ｂ、３ｃ）と、フランジ（３ｃ）の下方から連続して形成された、円筒形状の筒体の左右両側面に形成された接合部羽根１２を有する接合部４と、接合部４から下方へと２本の連結部５を介して接続された、保持部７とからなる。この保持部７は、半円筒状の半円筒部材６と、この半円筒部材６の側面から外方へと形成された羽根部材８とからなり、特に半円筒部材６の表面には、略四角形状の窪み（凹部９）が形成されている。
この凹部９により、後述する、袋容器と、スパウトとをヒートシールにより取り付ける際に、機械の保持手Ｇが保持部７の凹部９に入り込み、スパウト１と、袋容器Ｐとを強固に挟持可能である。また、前記保持部材７の半円筒部材６の側面および底面が開口部Ｅを形成しており、後述する、内容物の充填あるいは吸飲をスムースに行うことが可能である。
また、図２に示すように、スパウトの下面視において、前記保持部７の半円筒部材６と、羽根部材８は、前記接合部４の筒体と、接合部羽根１２と、略同断面形状を有しており、後述する、スパウト１を袋容器３に挿入する際、保持部の羽根部材８が袋容器に引っ掛かることなく挿入可能である。
【００１４】
スパウト１は、詳しくは図３（ａ）（ｂ）に示すように、筒部２から接合部４にかけて、筒部２の内径と同径の流入路Ｂが形成されており、内容物は、筒部２の先端より流入路Ｂを通り、連結部５の間に形成された左右の隙間（開口部Ｅ）、或いは保持部７の半円筒部材６の側面および底面からなる隙間（開口部Ｅ）より、図示しない袋容器Ｐ内へと導かれる。よって、内容物が固形物を含む液体の場合、袋容器Ｐに充填可能な固形物の大きさは、流入路Ｂの断面と、開口部Ｅの開口の大きさと、で一意的に決まる。
例えば、開口部Ｅの開口が、流入路Ｂの断面より、小さければ、内容物に含まれる固形物の大きさは、開口部Ｅより小さくする必要があり、通過可能な固形物の大きさは、開口部Ｅの形状に依存することとなる。
【００１５】
従来のスパウト１１は、図４に示すように、スパウト１１の接合部１２の下方から、４本の連結部１３を介して形成された、断面十字形状を有する脚部材１４と、前記４本の連結部１３と、の隙間からなる開口部Ｅ'から袋容器Ｐ内へと内容物を充填していた。このようなスパウト１１では、開口部Ｅ'が縦長形状で小さいため、液体は通過しても、固形物は通りにくく、固形物を含む液体を内容物とすることが不向きであった。また、開口部Ｅ'を大きく形成するために、図１３に示すように、仮に連結部１３を２本欠如すると、連結部１３の強度が低下してしまうという問題や、仮に強度を保てたとしても、充填の際、固形物が脚部材１４の上部１５にぶつかって固形物が砕けてしまうといった問題がある。
【００１６】
このため、本発明においては、図５に示すように、２本の連結部５を介して連設される脚部材（保持部７）を短く形成するとともに、この保持部７を半円筒部材６とすることにより、連結部５を２本とした場合においても連結部５の強度を保ちつつ、さらに、開口部Ｅを大きく形成することが可能である。よって、固形物が前記流入路Ｂを通過可能であれば、固形物を含む内容物の充填、吸飲が可能である。また、流入路Ｂと、開口部Ｅとが一直線で貫通しているため、内容物の充填スピードを高めることが可能である。
また、消費者が筒部２から内容物を吸飲する際、内容物は、袋容器内から大きな開口部Ｅを介してスムースに前記流入路Ｂを通って筒部２へと導かれる。
【００１７】
次に、袋容器Ｐについて説明すると、かかる袋容器Ｐとして、種々の形態からなるプラスチック性軟包装用袋を使用することができ、その一例を示すと、図６に示すように、一枚のシートを内側に折り込んでなる２つの左右面（ｃ、ｄ）と、１枚のシートからなる、前面ａおよび底面の一部ｅと、一枚のシートからなる、背面ｂおよび底面の一部ｆとの、それぞれの接合部ｈをヒートシールしてガゼット型の袋容器Ｐを形成する。
そして、袋上部１０よりスパウト１を挿入した後、スパウト１の接合部４と、袋上部１０の接合部ｈと、をヒートシールすることによりスパウト付き袋容器Ａを形成する。
このスパウト付き袋容器Ａに、内容物を充填し、次いで、筒部２に、キャップ２０を螺着し密閉することによって、図７に示すような、本発明のスパウト１を備えた包装製品を製造するものである。
なお、図８に示すように、スパウト付き袋容器Ａに、内容物を充填し、筒部２にＰシールＦを取り付けた後、キャップ２０を螺着することにより密閉性良好でレトルト対応可能な包装製品も提供可能である。
【００１８】
特に、スパウト付き袋容器Ａは、スパウト１と、袋容器Ｐとの接合部をヒートシールにより接合する際、図９に示すように、スパウトと、袋容器Ｐと、を機械の保持手Ｇにより保持し、ヒートシール部へと搬送する。そして、図示しないヒートシール部において袋容器と、スパウトとをヒートシールする。
よって、この間、機械の保持手Ｇは、袋容器Ｐと、スパウト１との両方を挟持することとなるが、このとき、スパウト１の保持部７が円筒形状であると、機械の保持手Ｇが保持部７を挟持する際、機械の挟持面と、保持部７の円筒とが、線接触となり挟持が不安定になってしまい、スパウト付き袋容器Ａが機械の保持手Ｇから脱落してしまう、或いは、スパウトと、袋容器との接合位置がずれてしまうという問題がある。よって、スパウト１と、袋容器Ｐとをヒートシールするまでの間、スパウト１と、袋容器Ｐとを強固に保持する必要がある。
【００１９】
このため、本発明のスパウト１は、図１０に示すように、保持部７の半円筒部材６の、円周面に、略四角形状の凹部９を有する構造により、スパウトと、袋容器Ｐとを搬送する際、機械の保持手Ｇが、保持部に形成された凹部９に入り込み、スパウト１と袋容器Ｐとを強固に挟持することができる。
詳しくは、図１１（ａ）の縦断面図に示すように、機械の保持手Ｇがスパウト１と、袋容器２とを挟持する際、保持部７の凹部９に、機械の保持手Ｇが入り込むことにより、スパウト１と、袋容器Ｐとを強固に保持することが可能である。また、スパウト１が上方へ移動しても、凹部９の下縁ｋに、機械の保持手Ｇが引っ掛かるため、スパウト１が保持手Ｇから抜けてしまうようなことがない。
また、図１１（ｂ）の横断面図に示すように、スパウト１の保持部７に形成された凹部９は、１の凹部９と、隣り合う凹部９と、の延長線が交わる交点Ｐの角度が９０°（直角）であるため、図示した機械の保持手との接触部分が面接触となり、安定してスパウトを強固に挟持することが可能である。よって、スパウトと、袋容器とを搬送スピードを高めて搬送可能である。
【００２０】
このように、本発明のスパウト１は、保持部７を半円筒部材６とすることにより、開口部Ｅを大きく形成することが可能である。よって、固形物を含む内容物を、スムースに袋容器Ｐ内に充填することが可能であるとともに、流入路Ｂと、開口部Ｅとの内径が同径かつ一直線に貫通しているため、内容物の充填スピードを高め生産性を向上可能である。
さらには、前記保持部７の半円筒形状の４半円周面に略四角形状の凹部９を形成することにより、袋容器Ｐにスパウト１を取り付ける際に、スパウト１と、袋容器Ｐと、を強固に挟持可能であるため、スパウト１と、袋容器Ｐとをヒートシールする際、若しくは、スパウト１と袋容器Ｐとを機械の保持手Ｇにより保持し、ヒートシール部へと搬送する際に、スパウト１と袋容器Ｐとの接合位置がずれるようなことなく、また、スパウト１が袋容器Ｐから脱落してしまうようなことがない。
【図面の簡単な説明】
【００２１】
【図１】本発明のスパウトを示す斜視図である。
【図２】本発明のスパウトを示す下面図である。
【図３】本発明のスパウトを示す（ａ）正面図および（ｂ）断面図である。
【図４】従来のスパウトの開口部を示す斜視図である。
【図５】本発明のスパウトの開口部を示す斜視図である。
【図６】袋容器とスパウトとを示す斜視図である。
【図７】スパウト付き袋容器とキャップとを示す斜視図である。
【図８】スパウト付き袋容器とキャップとＰシールとを示す斜視図である。
【図９】製造工程において、スパウトと、袋容器とを、機械の保持手により挟持する様子を示す斜視図である。
【図１０】本発明のスパウトを示す斜視図である。
【図１１】（ａ）本発明のスパウトを、機械の保持手により挟持する様子を示す縦断面図である。（ｂ）本発明のスパウトを、機械の保持手により挟持する様子を示す横断面図である。
【図１２】従来のスパウトを示す斜視図である。
【図１３】従来のスパウトを示す斜視図である。
【符号の説明】
【００２２】
１  スパウト
２  筒部
３  フランジ
４  接合部
５  連結部
６  半円筒部材
７  保持部
８  羽根部材
９  凹部
１０  袋上部
１２  接合部羽根
２０  キャップ
Ａ  注出口付き袋容器
ｋ  凹部下縁
Ｂ  流入路
Ｐ  袋容器
Ｅ  開口部
Ｆ  Ｐシール
Ｇ  保持手
ａ  前面
ｂ  背面
ｃ  側面
ｄ  側面
ｅ  底面
ｆ  底面
ｈ  接合部
【図１】
2007153425.tif 000003
【図２】
2007153425.tif 000004
【図３】
2007153425.tif 000005
【図４】
2007153425.tif 000006
【図５】
2007153425.tif 000007
【図６】
2007153425.tif 000008
【図７】
2007153425.tif 000009
【図８】
2007153425.tif 000010
【図９】
2007153425.tif 000011
【図１０】
2007153425.tif 000012
【図１１】
2007153425.tif 000013
【図１２】
2007153425.tif 000014
【図１３】
2007153425.tif 000015